(57)【要約】【課題】フレーム側レールを固定する為だけのレール固定部を不要としたチェストを提供する。【解決手段】チェスト本体１２を形成するフレーム１１を四隅の支柱２１と支柱２１間の横桟２２でフレーム状に形成し、横桟２２の内側面３３前端部にフレーム側ローラー３４を設ける。横桟２２の天面３２及び支持面４３に板材４５を固定する。この板材４５の下面によって内側へ突出した上方ガイド部４６を形成し、上方ガイド部４６の先端部に上方へ開口した前方切欠部４７を設ける。横桟２２の内側面３３の後部側に延出片５１を一体形成し、上方ガイド部４６に対向する下方ガイド部５２を形成する。これにより、横桟２２に、上方ガイド部４６と下方ガイド部５２からなるフレーム側レール５３を構成する。【選択図】図４
0003125150.tif 000002
【実用新案登録請求の範囲】
【請求項１】
引出を出し入れ自在に支持するチェスト本体にフレーム側レールが設けられたチェストにおいて、
前記チェスト本体を構成する横桟で前記フレーム側レールを構成し、前記横桟と前記フレーム側レールとを兼用したことを特徴とするチェスト。
【請求項２】
前記横桟を形成する成形工程にて側方へ延出する前記フレーム側レールを前記横桟に一体形成したことを特徴とする請求項１記載のチェスト。
【請求項３】
前記横桟の手前側に上縁より側方へ延出する手前側ガイド面を設けるとともに、前記横桟の奥側に下縁より側方へ延出する奥側ガイド面を設けて前記フレーム側レールを構成したことを特徴とする請求項２記載のチェスト。
【請求項４】
前記横桟に、側面より延出する延出面を設けて前記フレーム側レールを構成したことを特徴とする請求項１記載のチェスト。
【請求項５】
前記チェスト本体を、複数の支柱と該支柱間に横設される前記横桟とによってフレーム状に形成したことを特徴とする請求項１から４にいずれか記載のチェスト。
【請求項６】
前記横桟を金属で形成したことを特徴とする請求項１から５にいずれか記載のチェスト。
【請求項７】
前記横桟に、前記引出を支持する転動部材を設けたことを特徴とする請求項１から６にいずれか記載のチェスト。
【請求項８】
前記転動部材が設けられたフレーム側レール構成部材を前記横桟に固定して前記転動部材を前記横桟に設けたことを特徴とする請求項７記載のチェスト。
【請求項９】
前記フレーム側レールを金属で形成したことを特徴とする請求項１から８にいずれか記載のチェスト。
【考案の詳細な説明】
【技術分野】
【０００１】
本考案は、衣類や小物などを収容するチェストに関する。
【背景技術】
【０００２】
従来、衣類や小物などを収納する際には、チェストが用いられていた。
【０００３】
このチェストは、合成樹脂製のチェスト本体と、該チェスト本体に出し入れ自在に収容される合成樹脂製の引出とを備えている。
【０００４】
前記チェスト本体の側部には、奥行き方向に延在するレール固定部が設けられており、このレール固定部には、フレーム側レールが固定されている。
【０００５】
これにより、このフレーム側レールによって前記引出を支持できるように構成されている。
【考案の開示】
【考案が解決しようとする課題】
【０００６】
しかしながら、このようなチェストにあっては、前記チェスト本体の側部に前記フレーム側レールを固定する為のレール固定部を別途形成しなければならなかった。
【０００７】
本考案は、このような従来の課題に鑑みてなされたものであり、フレーム側レールを固定する為だけのレール固定部を不要としたチェストを提供することを目的とするものである。
【課題を解決するための手段】
【０００８】
前記課題を解決するために本考案の請求項１のチェストにあっては、引出を出し入れ自在に支持するチェスト本体にフレーム側レールが設けられたチェストにおいて、前記チェスト本体を構成する横桟で前記フレーム側レールを構成し、前記横桟と前記フレーム側レールとを兼用した。
【０００９】
すなわち、引出を出し入れ自在に支持するチェスト本体の横桟は、前記フレーム側レールも構成している。
【００１０】
このため、前記チェスト本体に前記フレーム側レールを固定する為のレール固定部を新たに設けること無く、前記フレーム側レールは、チェスト本体を構成する前記横桟に設けられ、該横桟と兼用される。
【００１１】
また、請求項２のチェストにおいては、前記横桟を形成する成形工程にて側方へ延出する前記フレーム側レールを前記横桟に一体形成した。
【００１２】
これにより、前記フレーム側レールの部材コスト及び取付コストが削減される。
【００１３】
また、請求項３のチェストにおいては、前記横桟の手前側に上縁より側方へ延出する手前側ガイド面を設けるとともに、前記横桟の奥側に下縁より側方へ延出する奥側ガイド面を設けて前記フレーム側レールを構成した。
【００１４】
これにより、前記引出の上方への傾きを前記フレーム側レールの前記手前側ガイド面で支持することができる。
【００１５】
一方、前記引出の下方への傾きを前記フレーム側レールの前記奥側ガイド面で支持することができる。
【００１６】
さらに、請求項４のチェストでは、前記横桟に、側面より延出する延出面を設けて前記フレーム側レールを構成した。
【００１７】
このような構成で実現でき、構成の簡素化が図られる。
【００１８】
また、請求項５のチェストにあっては、前記チェスト本体を、複数の支柱と該支柱間に横設される前記横桟とによってフレーム状に形成した。
【００１９】
すなわち、引出を支持するチェスト本体は、複数の支柱と該支柱間に横設される横桟とによってフレーム状に形成されており、このチェスト本体の前記横桟に、前記フレーム側レールが設けられている。
【００２０】
このため、フレーム状に形成された前記チェスト本体の構造が簡素化される。
【００２１】
さらに、請求項６のチェストでは、前記横桟を金属で形成した。
【００２２】
これにより、フレームを構成する前記横桟での強度が高められる。
【００２３】
加えて、請求項７のチェストにあっては、前記横桟に、前記引出を支持する転動部材を設けた。
【００２４】
これにより、前記引出は、前記転動部材を介して前記チェスト本体に支持される。
【００２５】
また、請求項８のチェストにおいては、前記転動部材が設けられたフレーム側レール構成部材を前記横桟に固定して前記転動部材を前記横桟に設けた。
【００２６】
すなわち、前記フレーム側レール構成部材には、前記転動部材が設けられており、このフレーム側レール構成部材を前記横桟に固定することによって、前記転動部材は、前記横桟に取り付けられる。
【００２７】
さらに、請求項９のチェストにおいては、前記フレーム側レールを金属で形成した。
【００２８】
これにより、前記フレーム側レールの剛性が高められる。
【考案の効果】
【００２９】
以上説明したように、本考案の請求項１のチェストにあっては、引出を出し入れ自在に支持するチェスト本体の横桟は、前記フレーム側レールも兼用する。
【００３０】
このため、前記チェスト本体に、前記フレーム側レールを固定する為のレール固定部を新たに設けること無く、前記フレーム側レールを、チェスト本体を構成する前記横桟で構成することができる。これにより、前記フレーム側レールを固定する為だけのレール固定部の形成を不要とすることができる。
【００３１】
そして、前記フレーム側レールを固定する為のレール固定部が不要となるため、デザイン性の自由度を高めることができる。
【００３２】
また、請求項２のチェストにおいては、前記横桟を形成する成形工程にて側方へ延出する前記フレーム側レールを前記横桟に一体形成したため、前記フレーム側レールの部材コスト及び取付コストを削減することができる。
【００３３】
また、請求項３のチェストにおいては、前記横桟の手前側に上縁より側方へ延出する手前側ガイド面を設けるとともに、前記横桟の奥側に下縁より側方へ延出する奥側ガイド面を設けて前記フレーム側レールを構成した。
【００３４】
このため、前記引出の上方への傾きを前記フレーム側レールの前記手前側ガイド面で支持することができる。
【００３５】
また、前記引出の下方への傾きを前記フレーム側レールの前記奥側ガイド面で支持することができる。
【００３６】
さらに、請求項４のチェストでは、前記横桟に、側面より延出する延出面を設けることによって、前述したフレーム側レールを構成することができ、構成の簡素化を図ることができる。
【００３７】
また、請求項５のチェストにおいては、引出を支持するチェスト本体は、複数の支柱と該支柱間に横設される横桟とによってフレーム状に形成されており、このチェスト本体の前記横桟に、前記フレーム側レールが設けられている。
【００３８】
このため、前記チェスト本体をフレーム状に形成することによって、その構造を簡素化することができる。
【００３９】
そして、フレーム状に形成された前記チェスト本体への前記レール固定部の形成が不要となるため、デザイン性を高めることができ、外観品質を向上することができる。
【００４０】
さらに、請求項６のチェストでは、前記横桟を金属で形成することによって、フレームを構成する前記横桟での強度を高めることができる。
【００４１】
これにより、フレーム形状のチェスト本体の剛性を高めることができるとともに、引出の支持剛性も高めることができる。
【００４２】
加えて、請求項７のチェストにあっては、前記横桟に、前記引出を支持する転動部材を設けることによって、前記引出を、前記転動部材を介して前記チェスト本体に支持することができる。
【００４３】
これにより、前記引出の移動をスムーズに行うことができる。
【００４４】
また、請求項８のチェストにおいては、前記フレーム側レール構成部材に前記転動部材が設けられており、このフレーム側レール構成部材を前記横桟に固定することによって、前記転動部材を、前記横桟に取り付けることができる。
【００４５】
このため、前記横桟に、前記フレーム側レールと前記転動部材とを個別に取り付ける場合と比較して、取付工程を簡素化することができる。
【００４６】
さらに、請求項９のチェストでは、前記フレーム側レールを金属で形成することによって、前記フレーム側レールの剛性を高めることができる。
【００４７】
これにより、前記引出の支持強度を高めることができるとともに、当該フレーム側レールが固定される前記横桟での剛性を高めることができ、フレーム形状のチェスト本体の強度アップを図ることができる。
【考案を実施するための最良の形態】
【００４８】
以下、本考案の一実施の形態を図に従って説明する。図１は、本実施の形態にかかるチェスト１を示す図であり、該チェスト１は、衣類や小物などを収納するものである。
【００４９】
このチェスト１は、図２にも示すように、フレーム１１を形成するチェスト本体１２と、該チェスト本体１２に設けられた矩形容器状の引出１３，１３とによって構成されている。
【００５０】
前記チェスト本体１２を形成する前記フレーム１１は、図２及び図３に示すように、四隅に立設された矩形筒状の支柱２１，・・・と、前後の支柱２１，２１間に架橋された横桟２２，２２とによってフレーム状に形成されており、前記支柱２１，・・・及び前記横桟２２，２２は、金属によって形成されている。前記各支柱２１，・・・は、底板２３に立設されており、該底板２３の裏側には、キャスター２４，・・・が四隅に設けられている。また、前記各支柱２１，・・・の上端部は、天板２５が設けられており、各支柱２１，・・・の上端部は、この天板２５によって支持されている。そして、前記底板２３と前記横桟２２間、及び該横桟２２と前記天板２５との間には、合成樹脂製の前記引出１３，１３が引き出し自在に保持されており、各引出１３は、前記横桟２２，２２を介してチェスト本体１２に支持されている。
【００５１】
前記横桟２２は、図４にも示すように、外側面３１と、該外側面３１の上縁に連設された天面３２と、該天面３２の内縁に連設された内側面３３とによって下方へ開口した断面コ字状にプレス成形されており、前記外側面３１の端部が前記支柱２１，２１に固定されるように構成されている（図３参照）。前記内側面３３の前端部には、前記引出１３を支持する転動部材としてのフレーム側ローラー３４が取り付けられており、該フレーム側ローラー３４の軸部３５が前記内側面３３の円形穴３６に回動自在に支持されている。
【００５２】
前記内側面３３には、プレス成形工程において、前記フレーム側ローラー３４より後部側に側方に延出する手前側ガイド面としての支持面４３が切り起こされており、前記内側面３３の前端部には、矩形穴４２が設けられている。前記支持面４３は、当該横桟２２の前記天面３２に沿って延設されている。
【００５３】
この天面３２及び前記支持面４３には、長尺状の金属板からなる板材４５が固定されており、前記支持面４３の下面と前記板材４５の下面の一部とによって内側へ向けて突出した上方ガイド部４６が形成されている。
【００５４】
なお、本実施の形態では、前記天面３２及び前記支持面４３上に前記板材４５を積層して前記上方ガイド部４６を形成した場合を例に挙げたが、前記板材４５は無くても良い。
【００５５】
そして、この上方ガイド部４６の先端部は、上方へ開口しており、この先端部には、前方切欠部４７が形成されている。
【００５６】
また、前記横桟２２の前記内側面３３の後部側には、前述したプレス成形工程において、奥側ガイド面としての延出片５１が一体形成されており、該延出片５１は、前記内側面３３の下縁より内側へ向けて折曲されて形成されている。この延出片５１は、前記板材４５に並行に設けられており、当該延出片５１によって前記上方ガイド部４６に対向する下方ガイド部５２が形成されている。これにより、前記横桟２２には、前記上方ガイド部４６と前記下方ガイド部５２とからなるフレーム側レール５３が構成されており、前記引出１３を支持できるように構成されている。
【００５７】
前記チェスト本体１２に保持される前記引出１３は、合成樹脂によって形成されており、図５にも示すように、上方が開口した矩形容器状に形成されている。この引出１３は、上下方向に型開きされる金型によって成形されており、左右の側面１０１，１０１の横幅寸法及び前面１０２並びに後面１０３の奥行き寸法は、抜き勾配によって下方へ向かうに従って小さくなるように形成されている。これにより、対向した左右の側面１０１，１０１と、対向した前面１０２及び後面１０３は傾斜するとともに、内径寸法が上方へ向かうに従って広がるように設定されており、引出１３，１３同士を重ねて保管できるように構成されている。
【００５８】
この引出１３には、各側面１０１，１０１の下部に引出側レール１６１が固定されており、該引出側レール１６１は、前記フレーム１１より硬質の金属によって構成されている。
【００５９】
この引出側レール１６１は、図６に示すように、レール側壁面１７１とレール天面１７２とからなる断面Ｌ字状に形成されており、前記レール側壁面１７１には、前記引出１３と係合する係止爪１７４が複数箇所に切り起こされている。各係止爪１７４は、Ｌ字状に形成されており、当該係止爪１７４は、上方へ向けて延出している。
【００６０】
前記レール側壁面１７１の端部には、引出側ローラー１７５が回転自在に支持されており、該引出側ローラー１７５が位置する前記レール天面１７２の端部には、前記引出側ローラー１７５の上部が突出させる為の切欠部１７６が設けられている。
【００６１】
これにより、図７に示すように、前記引出１３より側方に突出した前記引出側ローラー１７５は、前記横桟２２に設けられた前記フレーム側レール５３に上下から挟まれた状態で案内される一方、前記横桟２２に設けられたフレーム側ローラー３４は、前記引出１３に設けられた前記引出側レール１６１に案内されるように構成されている。
【００６２】
そして、前記フレーム１１から前記引出１３を引き出す際には、前記横桟２２に設けられた前記フレーム側ローラー３４が前記引出１３に設けられた前記引出側レール１６１の前記レール天面１７２を支持する一方、前記引出１３が当該引出１３の荷重によって前のめりになった際には、該引出１３に設けられた前記引出側ローラー１７５が前記横桟２２に形成された前記フレーム側レール５３の前記上方ガイド部４６に支持されるように構成されている（図示省略）。
【００６３】
さらに、前記引出１３を引き出した際には、図８に示すように、前記引出側ローラー１７５が前記フレーム側レール５３の前方切欠部４７から離脱することによって、当該引出１３をチェスト本体１２から取り出せるように構成されている。
【００６４】
以上の構成にかかる本実施の形態において、前記引出１３を出し入れ自在に支持するチェスト本体１２の横桟２２の内側面３３には、前記フレーム側レール５３が設けられている。
【００６５】
このため、前記チェスト本体１２に前記フレーム側レール５３を固定する為のレール固定部を新たに設けること無く、前記フレーム側レール５３を、チェスト本体１２を構成する前記横桟２２に設けることができる。これにより、前記フレーム側レール５３を固定する為だけのレール固定部の形成を不要とすることができる。
【００６６】
そして、前記フレーム側レール５３を固定する為のレール固定部が不要となるため、チェスト本体１２のデザイン性の自由度を高めることができる。
【００６７】
また、前記引出１３を支持するチェスト本体１２は、複数の支柱２１，・・・と該支柱２１，２１間に横設される横桟２２，２２とによってフレーム状に形成されており、このチェスト本体１２の前記横桟２２，２２に、前記フレーム側レール５３が設けられている。
【００６８】
このため、前記チェスト本体１２をフレーム状に形成することによって、その構造を簡素化することができる。
【００６９】
そして、フレーム状に形成された前記チェスト本体１２への前記レール固定部の形成が不要となるため、デザイン性を高めることができ、外観品質を向上することができる。
【００７０】
さらに、前記チェスト本体１２を構成する前記横桟２２，２２は、金属で形成されており、これによって、フレーム１１を構成する前記横桟２２，２２での強度を高めることができる。
【００７１】
これにより、フレーム形状のチェスト本体１２の剛性を高めることができるとともに、前記引出１３の支持剛性も高めることができる。
【００７２】
加えて、前記フレーム側レール５３を金属で形成することによって、当該フレーム側レール５３の剛性を高めることができる。
【００７３】
これにより、前記引出１３の支持強度を高めることができるとともに、当該フレーム側レール５３が固定される前記横桟２２での剛性をさらに高めることができ、フレーム形状のチェスト本体１２の強度アップを図ることができる。
【００７４】
そして、前記横桟２２に、前記引出１３を支持する転動部材としてのフレーム側ローラー３４を設けることによって、前記引出１３を、前記フレーム側ローラー３４を介して前記チェスト本体１２に支持することができる。
【００７５】
これにより、前記引出１３の移動をスムーズに行うことができる。
【００７６】
また、前記横桟２２の手前側に上縁より側方へ延出する手前側ガイド面としての支持面４３を設けるとともに、前記横桟２２の奥側に下縁より側方へ延出する奥側ガイド面としての延出面５１を設けて前記フレーム側レール５３を構成した。
【００７７】
このため、前記引出１３の上方への傾きを前記フレーム側レール５３の前記支持面４３で支持することができる。
【００７８】
また、前記引出１３の下方への傾きを前記フレーム側レール５３の前記延出面５１で支持することができる。
【００７９】
本実施の形態にあっては、前記横桟２２に前記フレーム側レール５３と前記フレーム側ローラー３４とを個別に取り付けた場合を例に挙げて説明したが、この構成に限定されるものではない。
【００８０】
（他の実施の形態）
【００８１】
すなわち、図９は、他の実施の形態を示す図であり、第１の実施の形態のフレーム側レールの変形例が示されている。
【００８２】
この実施の形態において、前記横桟２２に固定されるフレーム側レール構成部材２０１は、金属がＬ字状に折曲されてなり、前記横桟２２の内側面３３に固定される固定面２０２と、該固定面２０２の上縁より内側へ向けて延出した延出面２０３とによって構成されている。
【００８３】
このフレーム側レール構成部材２０１には、前述同様のフレーム側ローラー３４が設けられており、該フレーム側ローラー３４の軸部３５は、前記フレーム側レール構成部材２０１の前記固定面２０２に回動自在に支持されている。
【００８４】
これにより、前記横桟２２には、該横桟２２に、嵌め込み等で設けられたフレーム側レール構成部材２０１によってフレーム側レール２１１が構成されている。
【００８５】
以上の構成においても、前述した実施の形態と同様の効果を得ることができる。
【００８６】
これに加えて、前記フレーム側レール構成部材２０１には、前記フレーム側ローラー３４が設けられており、このフレーム側レール構成部材２０１を前記横桟２２に固定することによって、前記フレーム側ローラー３４を前記横桟２２に取り付けることができる。
【００８７】
このため、前記横桟２２に、前記フレーム側レール構成部材２０１と前記フレーム側ローラー３４とを個別に取り付ける場合と比較して、取付工程を簡素化することができる。
【図面の簡単な説明】
【００８８】
【図１】本考案の一実施の形態の正面を示す一部断面図である。
【図２】同実施の形態の側面図である。
【図３】同実施の形態のチェスト本体を示す要部拡大図である。
【図４】（ａ）は、同実施の形態の横桟を示す分解斜視図であり、（ｂ）は、横桟を示す要部の断面図である。
【図５】同実施の形態の引出を示す側面図である。
【図６】同実施の形態の引出側レールを示す図で、（ａ）は平面図であり、（ｂ）は側面図である。
【図７】同実施の形態の動作を示す説明図である。
【図８】図７に続く動作を示す説明図である。
【図９】本発明の他の実施の形態の要部の拡大図である。
【符号の説明】
【００８９】
１    チェスト
１１    フレーム
１２    チェスト本体
１３    引出
２１    支柱
２２    横桟
３４    フレーム側ローラー
５３    フレーム側レール
１６１    引出側レール
１７５    引出側ローラー
２０１    フレーム側レール構成部材
２１１    フレーム側レール
【図１】
0003125150.tif 000003
【図２】
0003125150.tif 000004
【図３】
0003125150.tif 000005
【図４】
0003125150.tif 000006
【図５】
0003125150.tif 000007
【図６】
0003125150.tif 000008
【図７】
0003125150.tif 000009
【図８】
0003125150.tif 000010
【図９】
0003125150.tif 000011